(57)【要約】  本発明は、調整可能な光源の照射を設定するために使用されるべきデータベースを生成するための方法に関する。方法(300)は、複数の異なるユーザに対して、個別のユーザ(110)を識別するステップ(302)と、調整可能な光源(102)の特定の光プロファイルを設定するステップ(304)であって、特定の光プロファイルが、個別のユーザ(110)が曝される(112)光のスペクトル成分および/または強度に関する情報を備える、ステップと、個別のユーザ(110)を特定の光プロファイルに曝す(112)間、個別のユーザ(110)の健康状態および/または挙動に関するデータを感知するステップ(306)と、特定の光プロファイル、個別のユーザ(110)に関するゲノムデータ、ならびに、個別のユーザ(110)を特定の光プロファイルに曝す(112)間に感知される個別のユーザの健康状態および/または挙動に関するデータを結びつける、データセットを決定するステップ(308)と、結びつけられたデータセットをデータベースに記憶するステップ(310)とを備える。光制御システム(200)がさらに提供される。
2021508404.tif 000002
【特許請求の範囲】
【請求項１】
調整可能な光源の照射を設定するために使用されるべきデータベースを生成するための方法(300)であって、
複数の異なるユーザに対して、
個別のユーザ(110)を識別するステップ(302)と、
前記調整可能な光源(102)の特定の光プロファイルを設定するステップ(304)であって、前記特定の光プロファイルが、前記個別のユーザ(110)が曝される(112)光のスペクトル成分および/または強度に関する情報を備える、ステップと、
前記個別のユーザ(110)を前記特定の光プロファイルに曝す(112)間、前記個別のユーザ(110)の健康状態および/または挙動に関するデータを感知するステップ(306)と、
前記特定の光プロファイル、前記個別のユーザ(110)に関するゲノムデータ、ならびに、前記個別のユーザ(110)を前記特定の光プロファイルに曝す(112)間に感知される前記個別のユーザの前記健康状態および/または前記挙動に関する前記データを結びつける、データセットを決定するステップ(308)と、
前記結びつけられたデータセットをデータベースに記憶するステップ(310)と
を備える、方法。
【請求項２】
前記特定の光プロファイル、前記個別のユーザ(110)に関するゲノムデータ、ならびに、前記個別のユーザ(110)を前記特定の光プロファイルに曝す(112)間に感知される前記個別のユーザの前記健康状態および/または前記挙動に関する前記データを結びつける、前記データセットを決定する前記ステップ(308)がさらに、前記個別のユーザ(110)が前記特定の光プロファイルに曝される時間的な点を決定するステップを備える、請求項1に記載の方法。
【請求項３】
前記特定の光プロファイル、前記個別のユーザ(110)に関するゲノムデータ、ならびに、前記個別のユーザ(110)を前記特定の光プロファイルに曝す間に感知される前記個別のユーザ(110)の前記健康状態および/または前記挙動に関する前記データを結びつける、前記データセットの前記決定(308)がさらに、前記個別のユーザが前記特定の光プロファイルに曝される曝露時間を決定するステップを備える、請求項1に記載の方法。
【請求項４】
特定の個別のユーザに対して、
前記特定の個別のユーザ(110)を異なる特定の光プロファイル(406a、406b)に曝すステップ(312)と、
各々の異なる特定の光プロファイルに対して、前記特定の個別のユーザの健康応対および/または挙動に関するデータを感知するステップ(314)と、
各々の異なる特定の光プロファイル(406a、406b)、前記特定の個別のユーザ(110)に関するゲノムデータ、ならびに、前記特定の個別のユーザ(110)を各々の異なる特定の光プロファイル(406a、406b)に曝す(112、408)間に感知される前記特定の個別のユーザ(110)の前記健康状態および/または前記挙動に関する前記データを結びつける(316)ステップとをさらに備える、請求項1から3のいずれか一項に記載の方法。
【請求項５】
各々の異なる特定の光プロファイル(406a、406b)、前記特定の個別のユーザ(110)に関するゲノムデータ、ならびに、前記特定の個別のユーザ(110)を各々の異なる特定の光プロファイルに曝す間に感知される前記特定の個別のユーザ(110)の前記健康状態および/または前記挙動に関する前記データを結びつける(316)前記ステップがさらに、前記個別のユーザ(110)が各々の異なる特定の光プロファイルにそれぞれ曝される時間的な点を備える、請求項3に記載の方法。
【請求項６】
各々の異なる特定の光プロファイル(406a、406b)、前記特定の個別のユーザ(110)に関するゲノムデータ、ならびに、前記特定の個別のユーザ(110)を各々の異なる特定の光プロファイル(406a、406b)に曝す間に感知される前記特定の個別のユーザ(110)の前記健康状態および/または前記挙動に関する前記データを結びつける(316)前記ステップがさらに、前記個別のユーザ(110)が各々の異なる特定の光プロファイルにそれぞれ曝される曝露時間を備える、請求項3に記載の方法。
【請求項７】
特定の光プロファイルが、所定の特定の光プロファイルのセットから選択される、請求項1から6のいずれか一項に記載の方法。
【請求項８】
感知の活動(306)が、心拍、心拍数の変動、血圧、睡眠パターン、食習慣、表情、酸素レベル、姿勢、声の調子、ホルモンレベル、動きのパターン、および生産性のうちの1つまたは複数を備える、請求項1から7のいずれか一項に記載の方法。
【請求項９】
放出される光のスペクトル成分および/または強度が調整可能である、調整可能な光源(102)と、
複数の個別のユーザの中のある個別のユーザ(110)を識別する(302)ように構成される第1のセンサ(104)と、
前記調整可能な光源(102)の特定の光プロファイルを設定する(304)ように構成される中央制御エンジン(108)であって、前記特定の光プロファイルが、前記個別のユーザ(110)が曝される光のスペクトル成分および/または強度に関する情報を備える、中央制御エンジンと、
前記個別のユーザ(110)を前記特定の光プロファイルに曝す間、前記個別のユーザ(110)の健康状態および/または挙動に関するデータ(306)を感知するように構成される第2のセンサ(106)と、
前記複数の個別のユーザの各々に関するゲノムデータを備える第1のデータベース(109a)とを備え、
前記中央制御エンジン(108)がさらに、
前記特定の光プロファイル、前記個別のユーザ(110)に関するゲノムデータ、ならびに、前記第2のセンサ(106)によって感知される前記個別のユーザ(110)の前記健康状態および/または前記挙動に関する前記データを結びつける、データセットを決定し(308)、
前記結びつけられたデータセットを第2のデータベースに記憶する(310)
ように構成される、光制御システム。
【請求項１０】
前記第1のセンサ(104)および第2のセンサ(106)が同じセンサである、請求項9に記載の光制御システム。
【請求項１１】
前記第1のセンサ(104)がカメラである、請求項9に記載の光制御システム。
【請求項１２】
前記第2のセンサ(106)が、心拍、心拍数の変動、血圧、睡眠パターン、食習慣、表情、酸素レベル、姿勢、声の調子、ホルモンレベル、動きのパターン、および生産性を感知するように構成される、請求項9に記載の光制御システム。
【請求項１３】
前記中央制御エンジン(108)がさらに、前記個別のユーザ(110)が前記特定の光プロファイルに曝される(112)時間的な点を決定するように構成される、請求項9に記載の光制御システム。
【請求項１４】
前記中央制御エンジン(108)がさらに、前記個別のユーザ(110)が前記特定の光プロファイルに曝される曝露時間を決定するように構成される、請求項9に記載の光制御システム。
【請求項１５】
前記第1のデータベース(109a)および前記第2のデータベース(109b)が同じデータベースである、請求項9に記載の光制御システム。
【発明の詳細な説明】
【技術分野】
【０００１】
本発明は、調整可能な光源の照射を設定するために使用されるべきデータベースを生成するための方法に関する。光制御システムがさらに提供される。
【背景技術】
【０００２】
多くのヒトまたは動物には異なる照明が必要であること、すなわち、ヒトまたは動物は環境中の光の影響を異なるように受けるので、周辺光に関して異なる需要があることが知られているようになっている。これらの需要の一部は身体的な状態、たとえば目の問題に起因し、一部は精神的な状態、たとえば冬季うつ病に起因し、一部は個体の好みに起因する。
【０００３】
この目的のために、ヒトおよび/もしくは動物の健康状態ならびに/または挙動は、曝される光、すなわち、光の強度および/または光のスペクトル成分の影響を受ける。例として、朝の光の青の成分は覚醒を刺激する。夕方には、自然光がより赤くなり、これはくつろぎを高める。より具体的には、朝の青い光はコルチゾールを増やしメラトニンを減らして、覚醒度および集中力を高め、一方でより暖かい赤い色調は体のメラトニンを増やしてコルチゾールを減らし、くつろぎを引き起こす。
【先行技術文献】
【非特許文献】
【０００４】
【非特許文献１】Diurnal preference, mood and the response to morning light in relation to polymorphisms in the human clock gene PER3、Nature Sci Rep、2017年7月31日、7(1):6967
【非特許文献２】A practical guide to measuring physical activity、L. G. Sylvia他、J. Acad. Nutr Diet、2014年、114(2)、199-208
【発明の概要】
【発明が解決しようとする課題】
【０００５】
したがって、個体の需要に適応した光の曝露を提供するための効率的な方法およびシステムが必要である。
【課題を解決するための手段】
【０００６】
上記に鑑みて、調整可能な光源の照射を設定するために使用されるべきデータベースを生成するための方法を提供することが、本発明の目的である。当技術分野における上で特定された欠陥および欠点の1つまたは複数を、単独で、または任意の組合せで軽減し、緩和し、またはなくし、少なくとも上で言及された問題を解決することも目的である。
【０００７】
第1の態様によれば、調整可能な光源の照射を設定するために使用されるべきデータベースを生成するための方法が提供される。方法は、複数の異なるユーザに対して、個別のユーザを識別するステップと、調整可能な光源の特定の光プロファイルを設定するステップであって、特定の光プロファイルが、個別のユーザが曝される光のスペクトル成分および/または強度に関する情報を備える、ステップと、個別のユーザを特定の光プロファイルに曝す間、個別のユーザの健康状態および/または挙動に関するデータを感知するステップと、特定の光プロファイル、個別のユーザに関するゲノムデータ、ならびに、個別のユーザを特定の光プロファイルに曝す間に感知される個別のユーザの健康状態および/または挙動に関するデータを結びつける、データセットを決定するステップと、結びつけられたデータセットをデータベースに記憶するステップとを備える。
【０００８】
データベースは、個別のユーザの調整可能な光源からの光の曝露、すなわち光の曝露のスペクトル成分および/または強度を、個別のユーザの健康状態および/または挙動、ならびに個別のユーザのゲノムデータと結びつける。したがって、特定の光の曝露と、個別のユーザのゲノムデータならびに健康状態および/または挙動との照合を可能にする、データベースが得られる。
【０００９】
ある例として、たとえばデータベースにエントリとして記憶される、結びつけられたデータは、特定のゲノムデータへの、所与の健康状態、特定の光の曝露の相関付けを可能にする。データベースはこうして、所与のゲノムデータを有する個別のユーザの所与の健康状態および/または挙動を達成するための、光の配合、すなわち指令を提供する。したがって、データベースは、新しいユーザのゲノムデータがデータベースに記憶されているゲノムデータと一致する限り、または少なくとも一部一致する限り、新しいユーザに対する適切な光の曝露を設定するために使用され得る。結果として、光の曝露が個人のゲノムデータおよび個別のユーザの好みを考慮するという点で、生物中心的な光の曝露を得ることができる。こうして、光の曝露においてより高い特異性を得ることができる。望ましい健康状態および/または挙動をもたらすために使用されるべき光の曝露に関する情報を提供するデータベースによって、個別のユーザの望ましい健康状態および/または挙動を達成するための改善された開始点がさらに提供される。
【００１０】
「ゲノムデータ」という用語は、個別のユーザのゲノムまたはゲノムの少なくとも一部分に関するデータとして解釈され得る。ゲノムは、ヒト、動物、または植物などの有機体の遺伝物質として理解され得る。ゲノムはDNAを備える。ゲノムは、有機体の遺伝物質全体であり、遺伝子と非コード配列の両方を含む。ゲノムはさらに、ミトコンドリアおよび葉緑体の遺伝物質を備える。この目的で、ゲノミクスは、遺伝子の集合的な特徴付けおよび定量化を目指しており、これらは、酵素およびメッセンジャー分子の助けによりタンパク質の生産を指示する。
【００１１】
ゲノミクスはさらに、ゲノムのシーケンシングおよび分析に関わる。
ゲノムデータは個体のゲノムを備え得る。
ゲノムデータは個別のユーザのゲノムの少なくとも一部分を備え得る。
【００１２】
「健康状態」という用語は、身体的な健康と精神的な健康の両方に関し得る。光により影響を受ける精神的な健康状態の例は、光療法によりしばしば治療される冬季/暗闇うつ病である。身体的な健康状態の例は、ユーザの目をある量の光に対して非常に敏感にし得る目の問題である。
【００１３】
「個別のユーザの挙動」という用語は、内部刺激または外部刺激に対するヒトまたは動物などの個体の応答として理解され得る。「個別のユーザの挙動」という用語は、個別のユーザと関連付けられる身体的な状態および/または動きとして理解され得る。「個別のユーザの挙動」は観察可能な感情の状態であり得る。観察可能な感情は、たとえば、表情、姿勢、または動きのパターンであり得る。
【００１４】
「光プロファイル」という用語は、光のスペクトル成分および/または強度として解釈され得る。スペクトル成分はさらに、異なる波長で放出される電磁放射の量の尺度として解釈され得る。言い換えると、スペクトル成分は光のスペクトルと呼ばれ得る。光のスペクトル成分または光のスペクトルは、記録されそして分析され得るように、光源からの光を成分波長へと分散する分光器によって決定され得る。
【００１５】
特定の光プロファイル、個別のユーザに関するゲノムデータ、ならびに、個別のユーザを特定の光プロファイルに曝す間に感知される個別のユーザの健康状態および/または挙動に関するデータを結びつける、データセットの決定はさらに、個別のユーザが特定の光プロファイルに曝される時間的な点を決定することを備え得る。
【００１６】
利点は、曝露が発生する時間が決定され得ることである。この時間的な点はさらに、光の曝露と相関付けられ、データベースに記憶され得る。
【００１７】
特定の光プロファイル、個別のユーザに関するゲノムデータ、ならびに、個別のユーザを特定の光プロファイルに曝す間に感知される個別のユーザの健康状態および/または挙動に関するデータを結びつける、データセットの決定はさらに、個別のユーザが特定の光プロファイルに曝される曝露時間を決定することを備え得る。
【００１８】
利点は、曝露の量が決定され得ることである。曝露時間がさらにデータベースに記憶され得る。
【００１９】
方法はさらに、特定の個別のユーザに対して、
特定の個別のユーザを異なる特定の光プロファイルに曝すステップと、
各々の異なる特定の光プロファイルに対して、特定の個別のユーザの健康状態および/または挙動に関するデータを感知するステップと、
各々の異なる特定の光プロファイル、特定の個別のユーザに関するゲノムデータ、ならびに、特定の個別のユーザを各々の異なる特定の光プロファイルに曝す間に感知される特定の個別のユーザの健康状態および/または挙動に関するデータを結びつけるステップとを備え得る。
【００２０】
こうして、データベースがより速く構築され得る。異なる特定の光の曝露に対する、個別のユーザに関するゲノムデータのより良い相関、ならびに、個別のユーザの関連する健康状態および/または挙動を、さらに得ることができる。
【００２１】
「特定の個別のユーザ」という用語は、複数の異なるユーザの中から選択されたユーザとして理解され得る。
【００２２】
各々の異なる特定の光プロファイル、特定の個別のユーザに関するゲノムデータ、ならびに、特定の個別のユーザを各々の異なる特定の光プロファイルに曝す間に感知される特定の個別のユーザの健康状態および/または挙動に関するデータを結びつけることはさらに、個別のユーザが各々の異なる特定の光プロファイルにそれぞれ曝される時間的な点を備え得る。
【００２３】
各々の異なる特定の光プロファイル、特定の個別のユーザに関するゲノムデータ、ならびに、特定の個別のユーザを各々の異なる特定の光プロファイルに曝す間に感知される特定の個別のユーザの健康状態および/または挙動に関するデータを結びつけることはさらに、個別のユーザが各々の異なる特定の光プロファイルにそれぞれ曝される曝露時間を備え得る。
【００２４】
特定の光プロファイルは、所定の特定の光プロファイルのセットから選択され得る。こうして、個体の健康状態および/または挙動に影響を及ぼすことが知られている光プロファイルが使用され得る。
【００２５】
こうして、データベースを構築するために、既知の光プロファイルが使用され得る。
【００２６】
この感知の活動は、心拍、心拍数の変動、血圧、睡眠パターン、食習慣、表情、酸素レベル、姿勢、声の調子、ホルモンレベル、動きのパターン、および生産性のうちの1つまたは複数を備え得る。
【００２７】
第2の態様によれば、光制御システムが提供される。光制御システムは、放出される光のスペクトル成分および/または強度が調整可能である、調整可能な光源と、複数の個別のユーザの中のある個別のユーザを識別するように構成される第1のセンサと、調整可能な光源の特定の光プロファイルを設定するように構成される中央制御エンジンであって、特定の光プロファイルが、個別のユーザが曝される光のスペクトル成分および/または強度に関する情報を備える、中央制御エンジンと、個別のユーザを特定の光プロファイルに曝す間、個別のユーザの健康状態および/または挙動に関するデータを感知するように構成される第2のセンサと、複数の個別のユーザの各々に関するゲノムデータを備える第1のデータベースとを備え、中央制御エンジンがさらに、特定の光プロファイル、個別のユーザに関するゲノムデータ、ならびに、第2のセンサによって感知される個別のユーザの健康状態および/または挙動に関するデータを結びつける、データセットを決定し、結びつけられたデータセットを第2のデータベースに記憶するように構成される。
【００２８】
光制御システムは、カスタマイズされた光を個体に提供するためのデータベースを構築することを可能にする。
【００２９】
第1のセンサと第2のセンサは同じセンサであり得る。
【００３０】
第1のセンサはカメラであり得る。
【００３１】
第2のセンサは、心拍、心拍数の変動、血圧、睡眠パターン、食習慣、表情、酸素レベル、姿勢、声の調子、ホルモンレベル、動きのパターン、および生産性を感知するように構成され得る。
【００３２】
中央制御エンジンはさらに、個別のユーザが特定の光プロファイルに曝される時間的な点を決定するように構成され得る。
【００３３】
中央制御エンジンはさらに、個別のユーザが特定の光プロファイルに曝される曝露時間を決定するように構成され得る。
【００３４】
第1のデータベースと第2のデータベースは同じデータベースであり得る。
【００３５】
第1の態様の上で言及された特徴は、可能であるとき、この第2の態様にも当てはまる。過度の繰り返しを避けるために、上記を参照されたい。
【００３６】
本発明の適用可能性のさらなる範囲が、以下で与えられる詳細な説明から明らかになるであろう。しかしながら、本発明の範囲内での様々な変更および修正が、この詳細な説明から当業者に明らかになるので、詳細な説明および具体的な例は、本発明の好ましい実施形態を示すが、例示としてのみ与えられることを理解されたい。
【００３７】
したがって、デバイスおよび方法は多様であり得るので、説明されるデバイスの特定の構成要素の部分または説明される方法のステップに本発明が限定されないことを理解されたい。本明細書で使用される用語は、特定の実施形態を説明することのみを目的としており、限定することは意図されていないことも理解されたい。本明細書および添付の特許請求の範囲において使用される場合、冠詞「a」、「an」、「the」、および「said」は、文脈が別段明確に示さない限り、要素のうちの1つまたは複数があることを意図していることに留意されたい。したがって、たとえば、「あるユニット(a unit)」または「そのユニット(the unit)」への言及がいくつかのデバイスを含み得る、などである。さらに、「備える」、「含む」、「含有する」という語、および同様の用語は、他の要素またはステップを排除しない。
【００３８】
本発明の実施形態を示す添付の図面を参照して、本発明の上記のおよび他の態様がここでより詳細に説明される。図面は特定の実施形態に本発明を限定するものと見なされるべきではない。そうではなく、図面は本発明を説明して理解するために使用される。
【００３９】
図面において示されるように、層および領域のサイズは例示を目的に誇張されているので、本発明の実施形態の全般的な構造を示すために提供される。同様の番号は全体で同様の要素を指す。
【図面の簡単な説明】
【００４０】
【図１】空間および光制御システムの概略図である。
【図２】図1の光制御システムの構成要素を示す図である。
【図３】調整可能な光源の照射を設定するために使用されるべきデータベースを生成するための方法のブロック図である。
【図４ａ】個別のユーザが特定の光プロファイルを有する光に曝される、空間および光制御システムの概略図である。
【図４ｂ】個別のユーザが図4aの特定の光プロファイルと異なる特定の光プロファイルを有する光に曝される、図4aの空間および光制御システムの概略図である。
【発明を実施するための形態】
【００４１】
本発明は、この後で添付の図面を参照してより完全に説明され、添付の図面には、本発明の現在好ましい実施形態が示されている。しかしながら、本発明は、多くの異なる形態で具現化され、本明細書に記載される実施形態に限定されるものとして解釈されるべきではない。むしろ、これらの実施形態は、徹底性および完全性のために、かつ当業者に本発明の範囲を完全に伝えるために与えられる。
【００４２】
以下では、調整可能な光源および光制御システムの照射を設定するために使用されるべきデータベースを生成するための方法が、図1および図2に関して説明される。
【００４３】
図1は、空間100および光制御システム200の概略図であり、光制御システム200の構成要素を示す図2も参照されたい。
【００４４】
光制御システム200は、調整可能な光源102、光センサ104、第2のセンサ106、中央制御エンジン108、第1のデータベース109a、および第2のデータベース109bを備える。
【００４５】
調整可能な光源102、光センサ104、第2のセンサ106、および中央制御エンジン108は、通信ネットワークにおける有線通信またはワイヤレス通信を介して通信するように構成され得る。
【００４６】
中央制御エンジン108は、第1のセンサ104に備えられるものとして示されているが、別個のユニットとして配置されてよい。
【００４７】
中央制御エンジン108は、調整可能な光源102内に配置され得る。
【００４８】
言い換えると、中央制御エンジン108は、第1のセンサ104から物理的に分離していることがある。
【００４９】
中央制御エンジン108は、空間100の中の別個のユニットを形成し、またはそのユニットの中で実装され得る。
【００５０】
中央制御エンジン108は代わりに、リモートサーバもしくは中央サーバに、またはクラウドサービスの一部として実装され得る。
【００５１】
中央制御エンジン108および第1のセンサ104は、有線通信ネットワークまたはワイヤレス通信ネットワークを介して互いに通信し得る。中央制御エンジン108は単一のデバイスに備えられ得る。代わりに、中央制御エンジン108は、複数のデバイスにわたって分散し得る。
【００５２】
調整可能な光源102は、放出される光のスペクトル成分および/または強度が調整可能である。個別のユーザ110は、調整可能な光源102によって放出される光に曝され得る(112)。
【００５３】
第1のセンサ104は、複数の個別のユーザの中から個別のユーザ110を特定するように構成される。
【００５４】
第1のセンサ104はデジタルカメラであり得る。デジタルカメラは、単一のまたは複数の画像を捉えることによって個別のユーザ110を識別するようになされ得る。個別のユーザ110を識別するために、画像認識がさらに使用され得る。カメラおよび/または中央制御エンジンは、デジタルカメラによって捉えられた1つまたは複数の画像上で識別を実行するように構成され得る。1つまたは複数の画像は、第1のセンサの、および/または中央制御エンジンのメモリに記憶され得る。
【００５５】
中央制御エンジン108は、調整可能な光源102の特定の光プロファイルを設定するように構成される。特定の光プロファイルは、個別のユーザ110が曝される(112)光のスペクトル成分および/または強度に関する情報を備える。
【００５６】
第2のセンサ106は、個別のユーザ110が特定の光プロファイルに曝される(112)間、個別のユーザ110の健康状態および/または挙動に関するデータを感知するように構成される。
【００５７】
第2のセンサ106は、個別のユーザによって持ち運ばれるウェアラブル電子デバイスであり得る。第2のセンサ106は、個別のユーザ110の体に装着され得るウェアラブル電子デバイスであり得る。第2のセンサ106はインプラントまたはアクセサリであり得る。
【００５８】
第2のセンサは、ユーザの健康状態および/または挙動を監視するように構成され得る。第2のセンサは、ユーザについてのデータを収集するためにユーザに接触していることがある。第2のセンサは、個別のユーザの活動を測定し得る。第2のセンサは活動トラッカーと呼ばれ得る。活動トラッカーは、ウォーキングまたはランニングの距離、カロリー消費などの、動きに関する尺度を監視して追跡し得る。第2のセンサは血圧を測定するように構成され得る。第2のセンサはジャイロスコープおよび/または加速度計を備え得る。ジャイロスコープおよび/または加速度計は、第2のセンサが個別のユーザによって装着される場合、個別のユーザの動きを特定するために使用され得る。第2のセンサによって決定される動きのパターンは、個別のユーザの健康状況および/または挙動についての情報を提供し得る。ジャイロスコープおよび/または加速度計は、たとえば、個別のユーザが動いているか、または静止しているかについての情報を提供し得る。ジャイロスコープおよび/または加速度計は、たとえば、個別のユーザの気分についての情報を提供する、ユーザの動きが遅いか速いかについての情報を提供し得る。
【００５９】
第2のセンサは、たとえば、Bluetooth、Zigbee、Wifi、RFID、またはNFCによって、ワイヤレス通信を介して中央制御エンジンと通信し得る。
【００６０】
第2のセンサは、たとえば、携帯電話、タブレット、キーフォブ、スマートウォッチ、またはスマートブレスレットであり得る。
【００６１】
第1のデータベース109aは、複数の個別のユーザの各々に関するゲノムデータを備える。
【００６２】
中央制御エンジン108はさらに、特定の光プロファイル、個別のユーザ110に関するゲノムデータ、ならびに、第2のセンサ106によって感知される個別のユーザ110の健康状態および/または挙動に関するデータを結びつける、データセットを決定するように構成される。中央制御エンジン108はまた、結びつけられたデータセットを第2のデータベース109bに記憶するように構成される。
【００６３】
したがって、光制御システム200は、カスタマイズされた光を個体に提供するためのデータベースを構築することを可能にする。
【００６４】
第1のデータベース109aおよび/または第2のデータベース109bは、ソフトウェアおよび/またはハードウェアで実装され得る。データベース109aおよび/または109bは、1つの特定のデバイスに配置され得る。代わりに、データベース109aおよび/または109bは、複数のデバイスに分散され得る。データベース109aおよび/または109bは、インターネットなどのコンピュータネットワークを介してアクセス可能であり得る。データベース109aおよび/または109bは、クラウド114の一部であり得る。
【００６５】
第1のデータベース109aおよび第2のデータベース109bは同じデータベースであり得る。
【００６６】
第1のセンサ104は、個別のユーザが特定の光プロファイルに曝される間、個別のユーザの健康状態および/または挙動に関するデータを感知するように構成され得る。第1のセンサは、たとえばデジタルカメラであり得る。デジタルカメラは、個別のユーザの1つまたは複数の画像を捉えるために使用され得る。
【００６７】
個別のユーザの健康状況および/または挙動を決定するために、画像認識がさらに使用され得る。画像認識はたとえば、個別のユーザが幸福であるか、または落ち込んでいるかを決定し得る。第1のセンサおよび/または中央制御エンジンは、デジタルカメラによって捉えられた1つまたは複数の画像上で識別を実行するように構成され得る。
【００６８】
第1のセンサは、たとえば、Bluetooth、Zigbee、Wifi、RFID、またはNFCによって、ワイヤレス通信を介して中央制御エンジンと通信し得る。
【００６９】
したがって、第1のセンサおよび/または第2のセンサは、個別のユーザの健康状態および/または挙動に関するデータを感知するように構成され得る。したがって、1つまたは複数のセンサが感知のために使用され得る。1つより多くのセンサによって得られるデータの組合せがさらに使用され得る。
【００７０】
第1のセンサは、第2のセンサとは物理的に別個であり得る。
【００７１】
第2のセンサは、空間の中の別個のユニットを形成し、またはユニットの中で実装され得る。
【００７２】
第1のセンサおよび第2のセンサは、有線通信ネットワークまたはワイヤレス通信ネットワークを介して互いに通信し得る。
【００７３】
光制御システム200は1つまたは複数の光センサを備えることがあり、図1および図2を参照されたい。図1の例では、制御システムは、光制御システム200のユーザ110によって装着される1つの光センサ116を備える。第2のセンサ106は光センサ116を備え得る。第2のセンサ106は光センサ116を形成し得る。
【００７４】
光センサ116は空間100の内部に配置される。
【００７５】
しかしながら、光センサは空間100の外側に配置されてもよいことが理解される。他の実施形態によれば、光センサは空間100の天井に配置され得る。光センサは空間100の壁に配置され得る。光センサは空間100の床に配置され得る。さらに、光制御システムが複数の光センサを備える場合、光センサの1つまたは複数は光制御システムのユーザによって装着されることがあり、光センサの1つまたは複数は空間100の内側に(または場合によっては外側にも)配置されることがある。
【００７６】
第1のセンサ104は光センサを備え得る。第1のセンサ104は光センサ116を形成し得る。
【００７７】
光センサは、空間100における照射データを測定するようになされる。照射データは、空間100における光のスペクトル成分の空間分布および空間100における光強度の空間分布に関するパラメータを備え得る。照射データは、空間100における個別のユーザ110の光の曝露112を表す。光の曝露112は、調整可能な光源102によって放出される光に関する。光センサ116はさらに、空間に存在する周辺光を測定し得る。周辺光は、たとえば、窓から空間に入る光により発生し得る。周辺光は、太陽光から発生する自然光であり得る。
【００７８】
光センサ、たとえば光センサ116はさらに、測定結果を中央制御エンジン120に通信するように構成される。非限定的な例として、光センサはイメージセンサを備え得る。光センサの他の非限定的な例は、写真センサ、バイオセンサ、ガスイオンセンサである。イメージセンサはカメラに備えられ得る。
【００７９】
カメラはデジタルカメラであり得る。
【００８０】
調整可能な光源102は統合された光センサを有し得る。統合された光センサは、調整可能な光源102から実際の送信される光の性質を感知するように構成され得る。
【００８１】
光センサは、たとえばBluetooth、Zigbee、Wifi、RFID、またはNFCなどの、ワイヤレス通信を介して中央制御エンジンと通信し得る。
【００８２】
中央制御エンジン108はさらに、特定の光プロファイル、個別のユーザ110に関するゲノムデータ、ならびに、第2のユーザ106によって感知される個別のユーザ110の健康状態および/または挙動に関するデータ、ならびに、空間100における光のスペクトル成分および空間100における光強度の空間分布に関するパラメータを備える照射データを結びつける、データセットを決定するように構成され得る。例として、たとえばデータベース109bにエントリとして記憶されている、結びつけられたデータは、特定のゲノムデータへの、所与の健康状態、空間100における個別のユーザの光の曝露の相関付けを可能にする。個別のユーザ110の光の曝露は、調整可能な光源102によって放出される光、ならびに空間100における光のスペクトル成分の空間分布および空間100における光強度の空間分布に関する。こうして、個別のユーザが曝される実際の光成分をより良く決定することができる。
【００８３】
光制御システムはさらに、複数の調整可能な光源を備え得る。
【００８４】
調整可能な光源は、固体ベースの光源、たとえば、LED、OLED、AMOLED、エレクトロルミネセントワイヤ、またはレーザー技術に基づく光であり得る。調整可能な光源は、調整可能な光源または複数の調整可能な光源を備える光パネルの一部を形成し得る。
【００８５】
光パネルは、たとえば、調整可能な光源が達成されるようにあるスペクトル範囲の光を各々放出する、異なる光源を備え得る。光パネル内の光源の1つまたはいくつかは、可視光、紫外光、または赤外光を放出し得る。
【００８６】
次に、調整可能な光源の照射を設定するために使用されるべきデータベースを生成するための方法の例が、図3、図4a、および図4bを参照して説明される。
【００８７】
方法300は、複数の異なるユーザに対して、個別のユーザ110を特定すること(302)を備える。特定すること(302)は、上で説明された第1のセンサによって、たとえば顔認識によって実行され得る。
【００８８】
方法300はさらに、調整可能な光源102の特定の光プロファイルを設定すること(304)を備える。特定の光プロファイルは、個別のユーザ110が曝される(112)光のスペクトル成分および/または強度に関する情報を備える。
【００８９】
方法300はさらに、個別のユーザ110を特定の光プロファイルに曝す(112)間、個別のユーザの健康状態および/または挙動に関するデータを感知するステップ(306)と、特定の光プロファイル、個別のユーザ110に関する、たとえば第1のデータベース109aから取り出されるゲノムデータ、ならびに、個別のユーザ110を特定の光プロファイルに曝す(112)間に感知される(306)ような個別のユーザ110の健康状態および/または挙動に関するデータを結びつける、データセットを決定するステップ(308)と、データベース、たとえば上で論じられたような第2のデータベース109bに結びつけられたデータセットを記憶するステップ(310)とを備える。
【００９０】
図4aにおいて、データを感知すること(306)は、デジタルカメラである第1のセンサ104が、個別のユーザ106の健康状態および/または挙動を決定することによって例示される。カメラは、たとえば、幸せであり元気であるものとして特徴付けられ得る、個別のユーザの健康状態および/または挙動を示す幸せな表情402および/または直立した姿勢404を個別のユーザ106が有すると、決定し得る。
【００９１】
こうして、方法300によって形成されるデータベースのエントリは、調整可能な光源102からの光の曝露112を、個別のユーザ110の健康条件および/または挙動ならびに個別のユーザ110のゲノムデータと結びつける。したがって、特定の光の曝露、ゲノムデータ、ならびに個別のユーザ110の健康条件および/または挙動の照合を可能にする、データベース109bが構築される。
【００９２】
上の例は、個別のユーザの幸せであり元気な健康状態および/または挙動が、特定のゲノムデータを有する個別のユーザの特定の光プロファイルに関する特定の光の曝露112と結びつけられ得ることを示す。
【００９３】
方法300はさらに、特定の個別のユーザ106に対して、図4aおよび図4bにおいてそれぞれ光の曝露112および408によって示される、異なる特定の光プロファイル406aおよび406bに特定の個別のユーザ110を曝すこと(312)を備え得る。
【００９４】
方法300はさらに、各々の異なる特定の光プロファイルに対して、特定の個別のユーザ110の健康状態および/または挙動に関するデータを感知するステップ(314)を備える。方法300は次いで、各々の異なる特定の光プロファイル、特定の個別のユーザ110に関するゲノムデータ、ならびに、各々の異なる特定の光プロファイルに特定の個別のユーザ110を曝す(112、114)間に感知される(314)特定の個別のユーザの健康状態および/または挙動に関するデータを、結びつける(316)。
【００９５】
こうして、データベースがより速く構築され得る。異なる特定の光の曝露に対する、個別のユーザに関するゲノムデータのより良い相関付け、ならびに、個別のユーザの関連する健康状態および/または挙動を、さらに得ることができる。
【００９６】
図4aおよび図4bにおいて光の曝露112および408によって示される、異なる特定の光プロファイル406aおよび406bは、スペクトル成分および/または光強度がそれぞれ異なり得る。
【００９７】
図4bにおいて、データを感知すること(314)は、やはりデジタルカメラである第1のセンサ104が個別のユーザ110の健康状態および/または挙動を決定することによって例示される。カメラは、たとえば、個別のユーザ110が、悲しい表情410をしており、悲しいものとしてまたは苦悩しているものとして記述され得る個別のユーザの健康状態および/または強度を示す前方に曲がった姿勢412をとっていると決定し得る。
【００９８】
したがって、個別のユーザの悲しく苦悩している健康状態および/または挙動は、所与のゲノムデータを有する個別のユーザについて、上記の光の曝露112とは異なる特定の光プロファイルに関する光の曝露408と結びつけられ得る。
【００９９】
例として、光の曝露112は、光刺激をもたらす第1のピーク波長の周りに第1の主要な光強度のピークを有する第1のスペクトル光分布を有し得る。光の曝露408は、第1のピーク波長と異なる第2のピーク波長の周りに第2の主要な光強度ピークを有する第2のスペクトル光分布を有する光を放出するように構成される第2の光源を有し得る。
【０１００】
光刺激という用語は、ヒトまたは動物に対する生物学的な影響および/または挙動への影響を引き起こすのに適した光として解釈され得る。生物学的な影響および/または挙動への影響は、メラトニン分泌、体温、コルチゾール分泌、心拍数、覚醒度、認知パフォーマンス、精神運動パフォーマンス、脳血流、および/またはEEG応答の変化を含み得る。
【０１０１】
第1のピーク波長は、450〜512nm、好ましくは450〜490nmの範囲にあり得る。
【０１０２】
調整可能な光源は寒色の白色光放出器であってよく、第1のピーク波長は450〜490nmの範囲内にある。
【０１０３】
調整可能な光源は寒色の白色光放出器であってよく、第1のピーク波長は450〜512nmの範囲内にある。
【０１０４】
こうして、調整可能な光源によって放出される光は、メラトニン受容体の感受性が450〜520nmの範囲にあること、典型的には470nm〜490nmの範囲にピークの感受性があることが報告されているので、刺激の効果を有し得る。こうして、調整可能な光源によって放出される光はヒトにおいてコルチゾールを増やしメラトニンを抑制するので、照明装置によって照射されるユーザに対して、注意力および集中力の向上を達成することができる。
【０１０５】
調整可能な光源は寒色の白色光放出器であってよく、第2のピーク波長は440〜450nmまたは490〜500nmの範囲内にある。
【０１０６】
これらのピーク波長は、第1のピーク波長の波長範囲、すなわち450〜490nmに近いが、その外側になる。これにより、第2のピーク波長を有する光により、メラトニンのより小さな抑制が達成され得る。こうして、調整可能な光源によって放出される光は、より小さい刺激の効果を有し得る。
【０１０７】
こうして、データベースは、所与のゲノムデータを有する個別のユーザの所与の健康状態および/または挙動を達成するための、光の配合、すなわち指令を提供し得る。したがって、データベースは、新しいユーザのゲノムデータがデータベースのゲノムデータと一致する限り、または少なくとも一部一致する限り、新しいユーザに対して適切な光の曝露を設定するために使用され得る。個別のユーザの望ましい健康状態および/または挙動を達成するための改善された開始点がさらに、望ましい健康状態および/または挙動を引き起こすために使用されるべき光の曝露に関する情報を提供するデータベースによって提供される。
【０１０８】
この目的で、第1のデータベース109aおよび第2のデータベース109bは同じデータベースであり得ることに留意されたい。
【０１０９】
中央制御エンジンはさらに、個別のユーザが特定の光プロファイルに曝される時間的な点を決定するように構成され得る。
【０１１０】
中央制御エンジンはさらに、個別のユーザが特定の光プロファイルに曝される曝露時間を決定するように構成され得る。
【０１１１】
特定の光プロファイル、個別のユーザに関するゲノムデータ、ならびに、個別のユーザを特定の光プロファイルに曝す間に感知される個別のユーザの健康状態および/または挙動に関するデータを結びつける、データセットの決定はさらに、個別のユーザが特定の光プロファイルに曝される時間的な点を決定することを備え得る。
【０１１２】
利点は、曝露が発生する時間が決定され得るということである。この時間的な点はさらに、光の曝露と相関付けられ、データベースに記憶され得る。
【０１１３】
この時間的な点はさらに、一日のうちの時刻、週のうちの曜日、および/または一年のうちの日として理解され得る。
【０１１４】
光の曝露の時間的な点および/または長さを決定することによって、より正確なデータベースが構築され得る。
【０１１５】
この目的で、特定の光プロファイル、個別のユーザに関するゲノムデータ、ならびに、個別のユーザを特定の光プロファイルに曝す間に感知される個別のユーザの健康状態および/または挙動に関するデータを結びつける、データセットの決定はさらに、個別のユーザが特定の光プロファイルに曝される曝露時間を決定することを備え得る。
【０１１６】
利点は、曝露の量が決定され得ることである。曝露時間がさらに、データベースに記憶され得る。
【０１１７】
各々の異なる特定の光プロファイル、特定の個別のユーザに関するゲノムデータ、ならびに、特定の個別のユーザを各々の異なる特定の光プロファイルに曝す間に感知される特定の個別のユーザの健康状態および/または挙動に関するデータを結びつけることはさらに、個別のユーザが各々の異なる特定の光プロファイルにそれぞれ曝される時間的な点を備え得る。
【０１１８】
各々の異なる特定の光プロファイル、特定の個別のユーザに関するゲノムデータ、ならびに、特定の個別のユーザを各々の異なる特定の光プロファイルに曝す間に感知される特定の個別のユーザの健康状態および/または挙動に関するデータを結びつけることはさらに、個別のユーザが各々の異なる特定の光プロファイルにそれぞれ曝される曝露時間を備え得る。
【０１１９】
特定の光プロファイルは、所定の特定の光プロファイルのセットから選択され得る。こうして、個体の健康状態および/または挙動に影響を及ぼすことが知られている光プロファイルが使用され得る。
【０１２０】
こうして、知られている光プロファイルが、データベースを構築するために使用され得る。
【０１２１】
例として、PER3遺伝子多型についての情報を備えるゲノムデータが、上で説明された方法およびシステムによって使用され得る。PER3遺伝子多型は、ヒトの睡眠-覚醒の表現型および光に対する感受性の差異と関連付けられており、たとえば、「Diurnal preference, mood and the response to morning light in relation to polymorphisms in the human clock gene PER3」、Nature Sci Rep、2017年7月31日、7(1):6967を参照されたい。一言で言うと、Period (PER)遺伝子群は、体内時計の重要な構成要素である。ヒトPER3遺伝子は高水準の多型を示しており、これは、PER3がヒトの概日および睡眠表現型における個人差の原因であり得ることを示唆している。ヒトにおいては、PER3が、日中の好み、または異なる覚醒時間帯においてより活動的になる/より非活動的になる個人の傾向と関連し得ることの、さらなる証拠がある。
【０１２２】
したがって、この方法およびシステムは、PER遺伝子多型についての情報を備えるゲノムデータを、特定の光プロファイルならびに個別のユーザの健康状態および/または挙動に関するデータと結びつけるための可能性をもたらす。
【０１２３】
この感知の活動は、心拍、心拍数の変動、血圧、睡眠パターン、食習慣、表情、酸素レベル、姿勢、声の調子、ホルモンレベル、動きのパターン、および生産性のうちの1つまたは複数を備え得る。
【０１２４】
これを達成するために、第2のセンサは、心拍、心拍数の変動、血圧、睡眠パターン、食習慣、表情、酸素レベル、姿勢、声の調子、ホルモンレベル、動きのパターン、および生産性を感知するように構成され得る。
【０１２５】
第2のセンサは特定のユーザに割り当てられ得る。L. G. Sylvia他による、「A practical guide to measuring physical activity」、J. Acad. Nutr Diet、2014年、114(2)、199-208を参照すると、ヒトの健康状況および/または挙動を測定するために、様々なセンサが存在する。
【０１２６】
この目的で、第2のセンサは温度計であり得る。ヒトまたは動物の体温は温度計によって測定され得る。第2のセンサはサーミスタであり得る。
【０１２７】
第2のセンサは加速度計であり得る。加速度計は、加速度をリアルタイムで測定し、最大で3つの直交する平面における動きを検出し得る。加速度計は、腰、尻、および大腿部を含む、ヒトまたは動物の体の多くの場所に装着され得る。
【０１２８】
第2のセンサは歩数計であり得る。歩数計は、ヒトまたは動物の尻が選ばれた閾値を超える力とともに垂直方向に加速するとき、ヒトまたは動物の歩数を測定し、この力は通常、水平方向のばねで吊るされたレバーアームの振れによって測定される。
【０１２９】
第2のセンサは心拍数モニタであり得る。心拍数モニタは、活動およびエネルギー消費の生理学的な指標を提供する。心拍数モニタは、ヒトもしくは動物の活動の頻度、時間長、および/または強度についてのリアルタイムのデータを提供し得る。
【０１３０】
第2のセンサは腕章であり得る。腕章は、エネルギー消費を測定してヒトまたは動物の活動を監視するために、動きおよび/または熱に関連するセンサ、すなわち、熱流、電気皮膚反応、皮膚温度、体温を使用し得る。
【０１３１】
第1のセンサおよび/または第2のセンサは、1つまたはいくつかの光センサを備え得る。光センサは、ある領域のいくつかの点において装着または搭載されるように、個人に接して並べられ得る。光センサは、光センサが曝される光の強度および/または光のスペクトル成分を測定するように並べられ得る。
【０１３２】
中央制御エンジンはコントローラを備え得る。コントローラは、たとえば、汎用プロセッサまたは専用プロセッサによって実行されるべきメモリなどのコンピュータ可読記憶媒体に記憶され得る、そのようなメモリの中の実行可能なコンピュータプログラム命令を使用することによって、ハードウェア機能を可能にする命令を使用して実装され得る。コントローラは、メモリから命令を読み取り、光制御システムの動作を制御するためにこれらの命令を実行するように構成され得る。メモリは、ROM、RAM、SRAM、DRAM、CMOS、FLASH(登録商標)、DDR、SDRAM、または何らかの他のメモリ技術などの、コンピュータ可読メモリに対する任意の一般に知られている技術を使用して実装され得る。
【０１３３】
本発明は、上で説明された好ましい実施形態に限定されるものではないことを、当業者は認識する。逆に、添付の特許請求の範囲内にある、多くの修正および変形が可能である。
【０１３４】
たとえば、個別のユーザは、ヒトであるものとして上で説明されたが、代替的には動物であってよい。
【０１３５】
個別のユーザという用語は、広く解釈されるべきであり、個別のユーザが植物であるものとして理解されてもよい。
【０１３６】
したがって、「健康状態」という用語は、植物の病理学、すなわち、病原体により、すなわち感染性の有機体により、かつ/または環境条件、たとえば光の曝露、干ばつ、または温度などの生理学的な要因により引き起こされる、植物における植物病の存在に関係するものとして、理解されてもよい。
【０１３７】
「個別のユーザの挙動」という用語、すなわち植物の挙動は、内部刺激または外部刺激への応答として理解され得る。したがって、「個別のユーザの挙動」という用語は、植物と関連付けられる身体の状態および/または動きとして理解され得る。身体状態は、たとえば、植物の葉の形に関係し得る。例として、曲がった葉またはしおれた葉は、植物がストレスを受けていることを示唆し得る。黄色い葉は、植物が十分なクロロフィルを生成していないことを示し得る。この目的で、輝いている、真っ直ぐな、および色彩豊かな葉、たとえば深緑色の葉をもつ植物は、その植物が健康な状態にあることを示し得る。
【０１３８】
観察可能な動きは、たとえば、植物の屈曲、たとえば植物の茎の屈曲であり得る。例として、細い茎を伸ばしており弱弱しく見える苗木などの植物は、自然光および/または人工光による十分な光の曝露が欠けていることがある。結果として、植物は、強い茎とともに真っ直ぐに成長するのではなく、前方に屈曲することがある。
【０１３９】
第1のセンサは、個体に固有のIDを識別するように構成され得る。第1のセンサは、QR、ピンコード、バーコードを読み取るように構成されてよく、それらによって個別のユーザが識別され得る。
【０１４０】
加えて、図面、本開示、および添付の特許請求の範囲の研究から、開示される実施形態への変形が、特許請求される発明を実践する当業者により理解され、成し遂げられ得る。
【符号の説明】
【０１４１】
100  空間
102  調整可能な光源
104  光センサ
106  第2のセンサ
108  中央制御エンジン
109  データベース
110  個別のユーザ
114  クラウド
116  光センサ
200  光制御システム
404  姿勢
406  光プロファイル
410  悲しい表情
412  前方に曲がった姿勢
【図１】
2021508404.tif 000003
【図２】
2021508404.tif 000004
【図３】
2021508404.tif 000005
【図４ａ】
2021508404.tif 000006
【図４ｂ】
2021508404.tif 000007
【国際調査報告】
2021508404.tif 000008
2021508404.tif 000009